(57)【要約】【課題】実際の風景に近い遠近感を有した立体写真およびその製造方法を提供する。【解決手段】本発明の立体写真１０は、被写体を含む画像が基材に印刷された全体印刷物２０上に、窓１２１、ベランダ１２２および外壁前面１２３を含む建物１２全体のパーツ２１、ベランダ１２２および外壁前面１２３を含むが窓１２１は含まない建物１２のパーツ２２、ベランダ１２２のパーツ２３並びに木１３のパーツ２４が順次積層されている。実際の風景において最も遠景である窓１２１は立体写真１０では最背面に位置しており、実際の風景において最も近景である木１３は立体写真１０では最前面に位置している。【選択図】図４
2018176649.tif 000002
【特許請求の範囲】
【請求項１】
被写体を含む画像が基材に印刷された全体印刷物と、
前記画像中の前記被写体が印刷された複数のパーツであって、前記被写体の遠景部を含む遠景部パーツおよび前記遠景部よりも近景の近景部を含むが前記遠景部を含まない近景部パーツと、
を備え、
前記近景部パーツおよび前記遠景部パーツは、前記近景部パーツが前記遠景部パーツよりも前面に位置するよう、前記全体印刷物上に積層されている、
ことを特徴とする立体写真。
【請求項２】
前記被写体は窓を有する建物を含み、
前記近景部パーツおよび前記遠景部パーツの少なくとも一方は前記窓を含むと共に、当該窓は光沢を有する、
請求項１に記載の立体写真。
【請求項３】
前記近景部パーツと前記遠景部パーツとの積層方向における間にはパネルを挿入可能な開口部が形成されているか、または、
前記近景部パーツおよび前記遠景部パーツはそれぞれ複数積層されており、複数積層された前記近景部パーツの積層方向における間および複数積層された前記遠景部パーツの積層方向における間の少なくとも一方にはパネルを挿入可能な開口部が形成されている、
請求項１または２に記載の立体写真。
【請求項４】
前記近景部パーツと前記遠景部パーツとの積層方向における間にはパネルが挿入されているか、または、
前記近景部パーツおよび前記遠景部パーツはそれぞれ複数積層されており、複数積層された前記近景部パーツの積層方向における間および複数積層された前記遠景部パーツの積層方向における間の少なくとも一方にはパネルが挿入されている、
請求項１から３のいずれか１項に記載の立体写真。
【請求項５】
被写体を含む画像を基材に印刷して、全体印刷物を作製する工程と、
前記画像中の前記被写体が印刷された印刷物から前記被写体の遠景部を含む遠景部パーツを作製する工程と、
前記画像中の前記被写体が印刷された印刷物から前記遠景部よりも近景の近景部を含むが前記遠景部を含まない近景部パーツを作製する工程と、
前記近景部パーツが前記遠景部パーツよりも前面に位置するよう、前記近景部パーツおよび前記遠景部パーツを前記全体印刷物上に積層して貼り合わせる工程と、
を含むことを特徴とする立体写真の製造方法。
【発明の詳細な説明】
【技術分野】
【０００１】
本発明は、撮影された風景等の画像を立体的に表現した立体写真およびその製造方法に関する。
【背景技術】
【０００２】
従来、二次元の写真を立体的に表現した立体写真が知られている。
【０００３】
特許文献１には、複数枚の同じ写真から背景の距離に応じて切り抜かれた各近景部分写真を用意し、裏板２と最後部の中間パネル３との間には最遠景となる１枚の写真７がそのまま嵌め込まれ、背景の距離に応じて切り抜かれた各写真８，９が中間パネル３，４を介して前後方向に位置合わせされてフレーム本体１内に順次配置される立体写真が開示されている。
【０００４】
特許文献２には、絵模様を表わした紙または写真等のシート状素材からなる複数の象形体を重ね合わせると共に、その間にセパレ−タ−としての連結部材を介在させることによって、象形体と象形体との間に、光が入射する空間を設けた立体展示品が開示されている。
【先行技術文献】
【特許文献】
【０００５】
【特許文献１】実開平５−８８９９９号公報
【特許文献２】実用新案登録第３０６５３３６号公報
【発明の概要】
【発明が解決しようとする課題】
【０００６】
本発明は、実際の風景に近い遠近感を有した立体写真を提供することを目的とする。また、このような立体写真の製造方法を提供することを目的とする。
【課題を解決するための手段】
【０００７】
本発明の立体写真は、被写体を含む画像が基材に印刷された全体印刷物と、前記画像中の前記被写体が印刷された複数のパーツであって、前記被写体の遠景部を含む遠景部パーツおよび前記遠景部よりも近景の近景部を含むが前記遠景部を含まない近景部パーツと、を備え、前記近景部パーツおよび前記遠景部パーツは、前記近景部パーツが前記遠景部パーツよりも前面に位置するよう、前記全体印刷物上に積層されていることを特徴とする。
【０００８】
本発明の立体写真において、前記被写体は窓を有する建物を含み、前記近景部パーツおよび前記遠景部パーツの少なくとも一方は前記窓を含むと共に、当該窓は光沢を有することが好ましい。
【０００９】
本発明の立体写真において、前記近景部パーツと前記遠景部パーツとの積層方向における間にはパネルを挿入可能な開口部が形成されているか、または、前記近景部パーツおよび前記遠景部パーツはそれぞれ複数積層されており、複数積層された前記近景部パーツの積層方向における間および複数積層された前記遠景部パーツの積層方向における間の少なくとも一方にはパネルを挿入可能な開口部が形成されていることが好ましい。
【００１０】
本発明の立体写真において、前記近景部パーツと前記遠景部パーツとの積層方向における間にはパネルが挿入されているか、または、前記近景部パーツおよび前記遠景部パーツはそれぞれ複数積層されており、複数積層された前記近景部パーツの積層方向における間および複数積層された前記遠景部パーツの積層方向における間の少なくとも一方にはパネルが挿入されていることが好ましい。
【００１１】
本発明の立体写真の製造方法は、被写体を含む画像を基材に印刷して、全体印刷物を作製する工程と、前記画像中の前記被写体が印刷された印刷物から前記被写体の遠景部を含む遠景部パーツを作製する工程と、前記画像中の前記被写体が印刷された印刷物から前記遠景部よりも近景の近景部を含むが前記遠景部を含まない近景部パーツを作製する工程と、前記近景部パーツが前記遠景部パーツよりも前面に位置するよう、前記近景部パーツおよび前記遠景部パーツを前記全体印刷物上に積層して貼り合わせる工程と、を含むことを特徴とする。
【発明の効果】
【００１２】
本発明の立体写真は、実際の風景における被写体の位置関係に合わせ、実際の風景における近景を表した近景部パーツは、立体写真では、実際の風景における遠景を表した遠景部パーツよりも前面に位置している。これにより、実際の風景に近い遠近感を得ることができる。本発明の製造方法によれば、このような立体写真を得ることができる。
【図面の簡単な説明】
【００１３】
【図１】立体写真の斜視図である。
【図２】実際の風景における被写体の位置関係を表す概略側面図である。
【図３】（ａ）は風景全体が印刷された全体印刷物の概略図であり、（ｂ）〜（ｅ）は印刷された被写体の各パーツ（遠景部パーツおよび近景部パーツ）の概略図である。
【図４】立体写真の製造手順を表す概略図である。（ａ２）〜（ｅ２）はそれぞれ（ａ１）〜（ｅ１）のａ２−ａ２線断面図、ｂ２−ｂ２線断面図、ｃ２−ｃ２線断面図、ｄ２−ｄ２線断面図、ｅ２−ｅ２線断面図である。
【図５】パーツ間にパネルを挿入する状態を表す斜視図である。
【発明を実施するための形態】
【００１４】
本発明について図面を参照しながら説明する。なお、以下で説明する実施形態は、いずれも本発明の好ましい一具体例を示すものである。本発明は、以下の実施形態に限定されず、その趣旨を逸脱しない範囲で適宜変更可能である。
【００１５】
図１は立体写真の斜視図である。図２は実際の風景における被写体の位置関係を示す概略側面図である。立体写真１０は、印刷された風景画像の中から、被写体を立体的に浮き上がらせたものである。図２に示すように、実際の風景は、空１１並びに被写体として建物１２および建物１２の手前に植えられた木１３を含む。建物１２は、窓１２１およびベランダ１２２を有している。建物１２の窓１２１周囲の外壁前面１２３は窓１２１よりも観測者Ｏ側に突出しており、ベランダ１２２は外壁前面１２３よりも観測者Ｏ側に突出している。つまり、これらは、観測者Ｏから見て遠い側から、窓１２１、外壁前面１２３、ベランダ１２２、木１３の順に位置している。
【００１６】
立体写真１０では、風景画像全体が印刷された全体印刷物の中から、図１に示すように、被写体である建物１２および木１３が手前に突出している。立体写真１０では、実際の風景における被写体の位置関係に合わせ、被写体のうち実際の風景において最も遠景となる部分が立体写真１０において最背面（最も奥側）に位置し、最も近景となる部分が立体写真１０において最前面（最も手前側）に位置している。すなわち、図２に示す実際の風景において、被写体は、観測者Ｏから見て遠い側から、窓１２１、外壁前面１２３、ベランダ１２２、木１３の順に位置しているため、図１に示す立体写真１０においても、最背面から最前面にかけて、窓１２１、外壁前面１２３、ベランダ１２２、木１３の順で配置されている。なお、「遠景」および「近景」は複数の被写体の相対的な位置関係を表す表現である。すなわち、例えば窓１２１と外壁前面１２３との関係では、窓１２１が遠景、外壁前面１２３が近景となるが、外壁前面１２３とベランダ１２２との関係では、外壁前面１２３が遠景、ベランダ１２２が近景となる。
【００１７】
次に、図３および図４を参照しながら、立体写真１０の製造方法について説明する。
【００１８】
撮影された風景の画像全体を基材に印刷し、図３（ａ）に示す全体印刷物２０を複数作製する。基材としては、紙などを使用することができる。
【００１９】
複数の全体印刷物２０の一部を使用し、全体印刷物２０中の被写体を遠近感に応じて複数のパーツに切り分ける。本実施形態では、被写体は、観測者Ｏから見て遠い側から、窓１２１、外壁前面１２３、ベランダ１２２、木１３の順に位置しているため、これに合わせ、複数のパーツとして、窓１２１、ベランダ１２２、外壁前面１２３および木１３を含む建物１２全体のパーツ２１（図３（ｂ）参照）、ベランダ１２２、外壁前面１２３および木１３を含むが窓１２１は含まない建物１２のパーツ２２（つまり、パーツ２１から窓１２１を切り抜いたパーツ）（図３（ｃ）参照）、ベランダ１２２のパーツ２３（図３（ｄ１）および（ｄ２）参照）並びに木１３のパーツ２４（図３（ｅ）参照）が作製される。なお、実際の風景において、建物の下層階におけるベランダ１２２は木１３と重なっているため、パーツ２３の中にはベランダ１２２だけでなく木１３の一部も印刷されたパーツが存在する（図３（ｄ２）参照）。各パーツ２１〜２４はそれぞれ複数作製される。各パーツ２１〜２４は、その厚みを調節するために、厚紙などの基材に貼り付けられてもよい。
【００２０】
パーツ２１の窓１２１部分には、光沢剤を塗布するか、または、光沢を有するフィルムを貼り付けることにより、窓１２１に光沢が付与されていてもよい。光沢剤および光沢フィルムは公知のものを使用することができる。なお、窓１２１に光沢を付与したパーツ２１は一つ作製すればよい。
【００２１】
パーツ２４には、実際の木１３の幹や葉の質感を表現するために、複数の凹凸が形成されていてもよい。
【００２２】
図４（ａ１）および（ａ２）に示すように、台板３０に一枚の全体印刷物２０を貼り付ける。台板３０としては厚紙などの紙、プラスチック板または木材などを使用することができる。なお、全体印刷物２０を台板３０に貼り付けるのではなく、台板３０に直接画像を印刷するようにしてもよい。
【００２３】
図４（ｂ１）および（ｂ２）に示すように、パーツ２１を、当該パーツ２１中の建物１２と全体印刷物２０中の建物１２とが整合するよう、全体印刷物２０上に複数重ね合わせ、複数のパーツ２１同士およびパーツ２１と全体印刷物２０とを貼り合わせる。窓１２１に光沢を付与したパーツ２１は、最上面（最前面）に積層される。パーツ２１を全体印刷物２０に複数積層することにより、図４（ｂ２）に示すように、全体印刷物２０から、建物１２全体が浮き出るようになる。
【００２４】
図４（ｃ１）および（ｃ２）に示すように、パーツ２２を、当該パーツ２２中の建物１２とパーツ２１中の建物１２とが整合するよう、パーツ２１上に複数重ね合わせ、複数のパーツ２２同士およびパーツ２１とパーツ２２とを貼り合わせる。図４（ｃ２）に示すように、窓１２１よりも、窓１２１周囲の建物１２の外壁前面１２３およびベランダ１２２が浮き出るようになる。
【００２５】
図４（ｄ１）および（ｄ２）に示すように、パーツ２３を、パーツ２２のベランダ１２２と整合するように複数重ね合わせ、複数のパーツ２３同士およびパーツ２２とパーツ２３とを貼り合わせる。図４（ｄ２）に示すように、外壁前面１２３よりも、ベランダ１２２が浮き出るようになる。
【００２６】
図４（ｅ１）および（ｅ２）に示すように、パーツ２４をパーツ２３上に重ね合わせ、パーツ２３とパーツ２４とを貼り合わせる。図４（ｅ２）に示すように、ベランダ１２２よりも、木１３が浮き出るようになる。なお、パーツ２４によって覆われることになるパーツ２１の窓１２１上には、パーツ２４の貼り付け前に、パーツ２３と同じ高さになるまで紙などの基材２５を予め積層させておいてもよい。基材２５により、パーツ２４とパーツ２１の窓１２１との間の空間が埋められるため、パーツ２４をパーツ２３上に貼り合せた際に、パーツ２４が沈んでしまうことがなくなる。
【００２７】
台板３０に全体印刷物２０を貼り付ける場合、および、各パーツ２１〜２４を貼り合わせる場合には公知の接着剤またはテープを使用することができる。
【００２８】
このようにして、図１に示す立体写真１０が製造される。完成した立体写真１０は、枠Ｆに入れられ、部屋などに飾られる。
【００２９】
以上のように、立体写真１０は、被写体の近景部が印刷された近景部パーツが、被写体の遠景部が印刷された遠景部パーツよりも前面に位置するよう、全体印刷物２０上に積層されている。つまり、実際の風景において窓１２１は被写体の中で最も遠景であるため、立体写真１０において窓１２１を含むパーツ２１は最背面に位置している。これにより、立体写真１０における窓１２１は最も奥側に見える。実際の風景において外壁前面１２３は窓１２１よりも近景であるため、立体写真１０においてパーツ２２はパーツ２１よりも前面に位置している。実際の風景においてベランダ１２２は外壁前面１２３よりも近景であるため、立体写真１０においてパーツ２３はパーツ２２よりも前面に位置している。実際の風景において木１３は被写体の中で最も近景であるため、パーツ２４は立体写真１０において最前面に位置しており、木１３は最も手前側に見える。近景部パーツが遠景部パーツよりも前面に位置するよう全体印刷物２０上に積層されていることにより、実際の風景の遠近感に近い立体写真１０を得ることができる。
【００３０】
各パーツ２１〜２３の積層厚を変えることにより、立体写真１０中の各被写体の遠近感を変化させることができる。
【００３１】
なお、近景部パーツおよび遠景部パーツをそれぞれ複数積層させる場合、複数積層させた近景部パーツの最前層（最上層）が、複数積層させた遠景部パーツの最前層よりも前側に位置していればよく、複数積層させた近景部パーツの最背層（最下層）は、複数積層させた遠景部パーツの最背層よりも奥側に位置していてもよい。
【００３２】
実際の風景における窓１２１は光が反射することにより輝いて見える。立体写真１０の窓１２１が光沢を有していることにより、実際の風景に近い窓１２１を表現することができる。
【００３３】
以下では、立体写真１０およびその製造方法の変形例について説明する。上記で既に説明した部材については同一の符号を付し、その説明を省略する。
【００３４】
全体印刷物２０上に複数のパーツ２１を貼り付ける場合、予め複数積層して貼り合せたパーツ２１を全体印刷物２０に貼り付けるようにしてもよく、あるいは、一つのパーツ２１を全体印刷物２０に貼り付け、その後、そのパーツ２１上に別のパーツ２１を複数積層させて貼り合せるようにしてもよい。パーツ２１上に複数のパーツ２２を貼り付ける場合、および、パーツ２２上に複数のパーツ２３を貼り付ける場合も同様の方法を採用することができる。
【００３５】
各パーツ２１〜２３はこれらのパーツ２１〜２３をそれぞれ複数積層させて厚みを調整するのではなく、各パーツ２１〜２３を基材に貼り付けると共に当該基材の厚みを調整するようにしてもよい。
【００３６】
各パーツ２１〜２４は、その全面が互いに貼り合わされている必要はなく、少なくとも一部が貼り合わされていればよい。例えば、パーツ２１とパーツ２２とを貼り合わせる際に、それらの左端部分のみ貼り合わせ、中央部分および右端部分を貼り合わせないでおく。これにより、パーツ２１とパーツ２２の中央部分および右端部分は互いに離間可能となり、図５に示すように、パーツ２１とパーツ２２との間に開口部２６が形成される。また、例えば複数のパーツ２１同士を部分的にのみ貼り合わせ、または、複数のパーツ２２同士を部分的にのみ貼り合わせ、複数のパーツ２１の間または複数のパーツ２２の間に開口部２６を形成するようにしてもよい。この開口部２６には、パネル４０が挿入される。開口部２６にパネル４０を挿入することにより、パネル４０よりも前方に配置されたパーツがパネル４０の厚みによってより浮き出るようになる。パネル４０は例えばアクリルパネル等のプラスチック製の透明パネルを使用することができる。
【符号の説明】
【００３７】
１０        立体写真
１１        空
１２        建物
１２１      窓
１２２      ベランダ
１２３      外壁前面
１３        木
２０        全体印刷物
２１〜２４  パーツ
２５        基材
２６        開口部
３０        台板
４０        パネル
【図１】
2018176649.tif 000003
【図２】
2018176649.tif 000004
【図３】
2018176649.tif 000005
【図４】
2018176649.tif 000006
【図５】
2018176649.tif 000007